(57)【特許請求の範囲】
【請求項１】
入水口から出水口に向けて水が流れる処理容器内に配置される水処理殺菌用ランプユニットであって、
前記水処理用ランプユニットは、両端に封止部が形成された直管状の紫外線ランプと、該紫外線ランプを囲むように配置された外管とを有し、
前記紫外線ランプの一端部は、当該紫外線ランプを保持するランプ保持部材によって保持され、他端部は、封止部から突出した外部リード棒及び当該外部リード棒と給電用のリード線との接合部を覆うように無機物質よりなるベースが形成されており、
当該ベースの表面に弾性部材が配置されていることを特徴とする水処理殺菌用ランプユニット。
【請求項２】
前記弾性部材が、耐紫外線弾性部材であることを特徴とする請求項１に記載の水処理殺菌用ランプユニット。
【請求項３】
前記弾性部材が、熱収縮型のフッ素系樹脂チューブよりなることを特徴とする請求項１に記載の水処理殺菌用ランプユニット。
【発明の詳細な説明】
【０００１】
【発明が属する技術分野】
本発明は、流水の循環経路中に配備し流水を紫外線で殺菌処理する水処理殺菌用ランプユニットに関するものである。
【０００２】
【従来の技術】
従来、流水を循環経路中で殺菌することは広く行なわれており、このための殺菌装置には、紫外線ランプを利用した水処理殺菌用ランプユニットが利用されている。
【０００３】
水処理殺菌用ランプユニットは、紫外線ランプを外管で覆い処理容器内に配置し、流水が処理容器内を入水口から出水口に向かって流れる際にこの流水を紫外線殺菌する構成となっている。
【０００４】
この水処理殺菌用ランプユニットは、図３に示すように、処理容器Ｓには、入水口Ｓ1と出水口Ｓ２が設けられ、この処理容器Ｓ内に水処理殺菌用ランプユニットＲ１が配置されている。
【０００５】
水処理殺菌用ランプユニットＲ１について詳細に説明すると、紫外線ランプ１は、両端に封止部１ａが形成された直管状のものであり、その一端部はランプ保持部材２によって保持されている。そして、外管３はゴム製の外管保持部材４によって保持されるとともに、紫外線ランプ１を囲むように配置されている。
外管３内に配置された紫外線ランプ１のランプ保持部材２によって保持されていない方の他端部は、封止部１ａから突出した外部リード棒５及び外部リード棒５と給電用のリード線６との接合部を覆うようにセラミック製のベース７が形成されている。
【０００６】
ベース７がセラミック製である理由は、紫外線によって劣化しないことと、万一、外管３が破損した場合、結露センサによって外管３の内部に水が浸入したことを検知して紫外線ランプ１への電流供給を停止するが、電流供給の停止までに通常５秒程度かかり、この期間に紫外線ランプ１の封止部１ａから突出した外部リード棒５や給電用のリード線６が水と接触しないように、つまり、水に電流が流れないようにするためである。
【０００７】
そして、ランプ保持部材２はネジ８によって第１枠部材９に固定され、外管保持部材４は、この外管保持部材４の端面に当接するように配置された押圧板１０をネジ１１によって締め付けることによって第２枠部材１２に固定される。
また、第１枠部材９と第２枠部材１２は不図示のネジによって一体化されている。
【０００８】
このような水処理殺菌用ランプユニットＲ１は、紫外線ランプ１が外管３によって囲まれているので直接水と接触することなく、処理容器Ｓ内において、入水口Ｓ１から出水口Ｓ２へと流れる水を紫外線ランプ１から放射される紫外線によって殺菌するものである。
【０００９】
【発明が解決しようとする課題】
しかしながら、上記のような水処理殺菌用ランプユニットＲ１は、搬送する時に強い振動が加わると、紫外線ランプ１が振動し、紫外線ランプ１の端部に形成されたセラミック製のベース７が外管３に衝突し、外管３が破損することがあった。
【００１０】
本発明は、以上のような事情に基づいてなされたものであって、その目的は、外管内の紫外線ランプが振動し紫外線ランプのベースが外管に衝突しも外管が破損することがない水処理殺菌用ランプユニットを提供することにある。
【００１１】
【課題を解決するための手段】
上記課題を解決するために、請求項１に記載の水処理殺菌用ランプユニットは、水口から出水口に向けて水が流れる処理容器内に配置される水処理殺菌用ランプユニットであって、
前記水処理用ランプユニットは、両端に封止部が形成された直管状の紫外線ランプと、該紫外線ランプを囲むように配置された外管とを有し、前記紫外線ランプの一端部は、当該紫外線ランプを保持するランプ保持部材によって保持され、他端部は、封止部から突出した外部リード棒及び当該外部リード棒と給電用のリード線との接合部を覆うように無機物質よりなるベースが形成されており、当該ベースの表面に弾性部材が配置されていることを特徴とする。
【００１２】
請求項２に記載の水処理殺菌用ランプユニットは、請求項１に記載の水処理殺菌用ランプユニットであって、特に、前記弾性部材が、耐紫外線弾性部材であることを特徴とする。
【００１３】
請求項３に記載の水処理殺菌用ランプユニットは、請求項１に記載の水処理殺菌用ランプユニットであって、特に、前記弾性部材が、熱収縮型のフッ素系樹脂チューブよりなることを特徴とする。
【００１４】
【発明の実施の形態】
図１は、本発明の水処理殺菌用ランプユニットの説明図である。
紫外線ランプ１は、波長２５３．７ｎｍの紫外線を良好に放射するものであり、また、長寿命化を達成するために冷陰極型放電ランプである。この紫外線ランプ１は、全長１６０ｍｍ、外径１０ｍｍで、両端に封止部１ａが形成された直管状のものであり、定格２００Ｖ、２３ｍＡで点灯する。
【００１５】
そして、この紫外線ランプ１は、その一端部がポリカーボネート製のランプ保持部材２によって保持されて、後述する外管３内に配置されている。紫外線ランプ１の他端部は、封止部１ａから突出した外部リード棒５及び外部リード棒５と給電用のリード線６との接合部を覆うように無機物質であるセラミック製のベース７が形成されている。
【００１６】
外管３は、紫外線を良好に透過する石英ガラスからなり、全長１８１ｍｍ、内径１７ｍｍで、ゴム製の外管保持部材４によって開口端側で保持されている。そして、この外管３は、紫外線ランプ１を囲む構造になっている。
【００１７】
そして、従来の水処理殺菌用ランプユニットＲ１と同様に、ランプ保持部材２と外管保持部材４を枠部材９，１２に固定することにより水処理殺菌用ランプユニットＲとなる。この水処理殺菌用ランプユニットＲは、従来の水処理殺菌用ランプユニットＲ１と同様図３に示すように、入水口Ｓ１と出水口Ｓ２が設けられた処理容器Ｓ内に配置されて、流水を紫外線で殺菌処理するものである。
【００１８】
本発明の水処理殺菌用ランプユニットＲは、紫外線ランプ１の他端部に形成されたセラミック製のベース７の表面に弾性部材１３が配置されている。
この弾性部材１３は、紫外線ランプから放射された紫外線を直接受ける位置にあるため紫外線による劣化が起こらない耐紫外線弾性部材でなければならなく、具体的には、フッ素系の樹脂が用いられている。
このフッ素系樹脂を熱収縮型のチューブとすることにより、このチューブをベース７に被せた後熱を加え収縮させるだけで、簡単にしかも確実にベース７の表面に弾性部材１３を配置することができる。
【００１９】
本実施例において、弾性部材１３は厚みが０．４ｍｍの熱収縮型のフッ素系樹脂チューブである。この熱収縮型のフッ素系樹脂チューブは弾性率が３４．３×１０7ｐａであり、セラミック製のベース７の弾性率１１．７×１０10ｐａより小さく、熱収縮型のフッ素系樹脂がセラミック製のベースと比較して弾性を有していることが分かる。
【００２０】
この結果、水処理殺菌用ランプユニットＲを搬送する時に強い振動が加わって、紫外線ランプ１が振動し、紫外線ランプ１の端部に形成されたセラミック製のベース７が外管３に衝突しても、このベース７の表面には弾性部材１３が配置されているので、この弾性部材１３によって衝突力が吸収され、外管３が破損することがない。
【００２１】
＜実験例＞
図１に示した水処理殺菌用ランプユニットにおいて、弾性部材１３である熱収縮型のフッ素系樹脂チューブの厚みのみを変えて任意の高さから落下させ、外管３の破損状況を調べる実験を行なった。
実験結果を図２に示す。実験データに記載された値は、外管が破損した水処理殺菌用ランプユニットの割合を％で示した値である。
【００２２】
この結果より、熱収縮型のフッ素系樹脂チューブの厚みが０．１３ｍｍ以上であれば確実に水処理殺菌用ランプユニットの外管の破損を防止できることが分かる。なお、この時のフッ素系樹脂チューブの弾性率は約２６３．８×１０10ｐａである。
また、熱収縮型のフッ素系樹脂チューブの厚みが０．０８ｍｍの場合、落下高さが２２ｃｍ以上の場合、外管が破損した水処理殺菌用ランプユニットの数は４０％以上となっているが、落下高さが２２ｃｍと同程度の力が搬送中に加わる恐れはほとんどないため、実用上は熱収縮型のフッ素系樹脂チューブの厚みが０．０８ｍｍ以上であれば良い。なお、この時のフッ素系樹脂チューブの弾性率は約４２８．７×１０10ｐａである。
この結果、弾性率が約４２８．７×１０10ｐａ以下のフッ素系樹脂チューブであれば、外管の破損を事実上防止することができる。
【００２３】
【発明の効果】
本発明の水処理殺菌用ランプユニットによれば、入水口から出水口に向けて水が流れる処理容器内に配置される水処理殺菌用ランプユニットであって、この水処理用ランプユニットは、外管内に紫外線ランプが配置され、紫外線ランプの端部に形成された無機物質よりなるベースの表面に弾性部材が配置されているので、外管内の紫外線ランプが振動し紫外線ランプのベースが外管に衝突しも外管が破損することがない。
【００２４】
また、弾性部材を耐紫外線弾性部材とすることにより、紫外線ランプから放射された紫外線が弾性部材に照射されても弾性部材が劣化することがない。
【００２５】
さらに、弾性部材をフッ素系樹脂の熱収縮型のチューブとすることにより、紫外線によって劣化することがなく、その上、チューブをベースに被せた後熱を加え収縮させるだけで、簡単にしかも確実にベースの表面に弾性部材を配置することができる。
【図面の簡単な説明】
【図１】本発明の水処理殺菌用ランプユニットの説明図である。
【図２】水処理殺菌用ランプユニットを落下させた実験データ説明図である。
【図３】本発明及び従来の水処理殺菌用ランプユニットを用いた殺菌装置の説明図である。
【符号の説明】
１    紫外線ランプ
１ａ  封止部
２    ランプ保持部材
３    外管
４    外管保持部材
５    外部リード棒
６    リード線
７    ベース
１３  弾性部材
【図１】
0003709417.tif 000002
【図２】
0003709417.tif 000003
【図３】
0003709417.tif 000004